(57)【要約】【課題】  同一機種の複数のＡＶ機器を含んだ多数のＡＶ機器がネットワーク接続されている場合でも、簡単な操作でターゲット機器を選択し、１台の機器を介して他のターゲット機器の操作を行うことのできるＡＶ装置を提供する。【解決手段】  リモートコントローラに、機種選択ボタンと機器選択ボタンと複数の機能ボタンＦ１〜Ｆ８とを設ける。そして、機種選択ボタンが操作される毎に、システムに接続された複数のＡＶ機器の中から異なる機種の機器を循環的に操作対象として選択変更し、また、前記機器選択ボタンが操作される毎に、システムに接続された複数のＡＶ機器の中で現在操作対象として選択されている機種と同一機種のＡＶ機器の中から１つを循環的に操作対象として選択変更する。さらに、選択されたＡＶ機器の機種をアイコンで表した機種情報４２と、このＡＶ機器の固有の識別名称４３とをディスプレイ画面の右上に表示させ、且つ、このＡＶ機器の動作制御用のコマンドの内容と複数の機能ボタンＦ１〜Ｆ８との対応関係が示されたコマンド一覧表示４４をディスプレイ画面の右下に表示させる。【選択図】        図１
2005340968.tif 000002
【特許請求の範囲】
【請求項１】
複数のＡＶ機器をシリアルバス接続可能なＩＥＥＥ１３９４規格に準ずるインターフェースを備え、ディスプレイに表示信号を出力可能なＡＶ装置において、
前記インターフェースを介した通信により前記シリアルバス接続された複数のＡＶ機器の各々の機種情報および各ＡＶ機器固有の識別情報とを取得する情報取得手段と、
前記インターフェースを介した通信により前記シリアルバス接続された複数のＡＶ機器に各ＡＶ機器の動作を制御するコマンドをそれぞれ送信可能なコマンド発行手段と、
装置に対する操作を入力するリモートコントローラと、
このリモートコントローラの操作入力に基づく信号を受けるとともに各部の制御を行う制御手段とを備え、
前記リモートコントローラには、専用の機種選択ボタンと、専用の機器選択ボタンと、前記シリアルバス接続された複数のＡＶ機器を操作するための複数の機能ボタンとが設けられ、
前記制御手段は、
前記機種選択ボタンが操作される毎に、前記シリアルバス接続された複数のＡＶ機器の中から異なる機種の機器を循環的に操作対象として選択変更し、且つ、前記機器選択ボタンが操作される毎に、前記シリアルバス接続された複数のＡＶ機器の中で現在操作対象として選択されている機種と同一機種のＡＶ機器の中から１つを循環的に操作対象として選択変更するとともに、
操作対象としてＡＶ機器が選択変更された際に、該ＡＶ機器の機種を絵文字により表した機種情報と、当該ＡＶ機器の固有の識別情報とをディスプレイ画面の一部に表示させ、且つ、選択変更されたＡＶ機器により受け付けられる動作制御用のコマンドの内容および該コマンドと前記複数の機能ボタンとの対応関係が示されたコマンド一覧表示をディスプレイ画面の他の一部に表示させ、
さらに、前記コマンド一覧表示が行われている間に前記機能ボタンが操作されると、該機能ボタンに対応づけられた前記動作制御用のコマンドを、前記コマンド発行手段により操作対象として選択されているＡＶ機器に送信させるように構成されていることを特徴とするＡＶ装置。
【請求項２】
複数のＡＶ機器をシリアルバス接続可能なインターフェースを備え、ディスプレイに表示信号を出力可能なＡＶ装置において、
前記インターフェースを介した通信により前記シリアルバス接続された複数のＡＶ機器の各々の機種情報および各ＡＶ機器固有の識別情報とを取得する情報取得手段と、
前記インターフェースを介した通信により前記シリアルバス接続された複数のＡＶ機器に各ＡＶ機器の動作を制御するコマンドをそれぞれ送信可能なコマンド発行手段と、
装置に対する操作を入力する操作入力手段と、
前記操作入力手段からの信号を受けて各部の制御を行う制御手段とを備え、
前記操作入力手段には、機種選択用の操作部と機器選択用の操作部とが設けられ、
前記制御手段は、
前記機種選択用の操作部が操作される毎に、前記シリアルバス接続された複数のＡＶ機器の中から異なる機種の機器を循環的に操作対象として選択変更し、且つ、前記機器選択用の操作部が操作される毎に、前記シリアルバス接続された複数のＡＶ機器の中で現在操作対象として選択されている機種と同一機種のＡＶ機器の中から１つを循環的に操作対象として選択変更するとともに、
操作対象としてＡＶ機器が選択変更された際に、操作対象として選択されたＡＶ機器の機種情報および固有の識別情報と、選択変更されたＡＶ機器により受け付けられる動作制御用のコマンドの内容が示されたコマンド一覧表示とをディスプレイ表示させるように構成されていることを特徴とするＡＶ装置。
【請求項３】
前記操作入力手段は電波又は赤外線により操作用の信号を送信するリモートコントローラであり、前記機種選択用の操作部および前記機器選択用の操作部は各々専用の操作ボタンとして設けられていることを特徴とする請求項２記載のＡＶ装置。
【請求項４】
前記機種情報および前記識別情報のディスプレイ表示は、前記機種情報を絵文字により表した形態で表示し、且つ、前記機種情報と前記識別情報とをディスプレイ画面の一部に表示出力する形態であることを特徴とする請求項２又は３に記載のＡＶ装置。
【請求項５】
前記操作入力手段には、前記シリアルバス接続された複数のＡＶ機器を操作するための複数の機能ボタンが設けられ、
前記コマンド一覧表示には、当該動作制御用のコマンドと前記複数の機能ボタンとの対応関係が示され、
前記制御手段は、少なくとも前記コマンド一覧表示を行っている間に前記複数の機能ボタンが操作された場合に、該機能ボタンに対応づけられた前記動作制御用のコマンドを、前記コマンド発行手段により操作対象として選択されているＡＶ機器に送信させるように構成されていることを特徴とする請求項２〜４の何れかに記載のＡＶ装置。
【発明の詳細な説明】
【技術分野】
【０００１】
この発明は、例えば、ＩＥＥＥ１３９４のインターフェースを備え、複数のＡＶ機器とシリアルバス接続されてＡＶシステムを構成することの可能なＡＶ装置に関し、システムに接続されたＡＶ機器の操作を１台のＡＶ装置で集中的に行う技術に関する。
【背景技術】
【０００２】
近年、デジタルテレビ、ＤＶＨＳ（デジタルビデオホームシステム）、ＤＶＤレコーダ、ハードディスクレコーダ、デジタルハンディカメラ、セットトップボックスなどのＡＶ（オーディ・オビジュアル）機器において、ＩＥＥＥ１３９４のインターフェースが搭載されることがある。
【０００３】
ＩＥＥＥ１３９４の通信規格では、シリアルバス接続された複数の機器間で互いに機器情報の確認を行ったり、１つの機器から他の機器へコマンドを送信して、他の機器の動作制御を行うことが可能になっている。
【０００４】
そして、このような機能を利用することで、ユーザは１台のＡＶ機器を介して複数台のＡＶ機器の操作を行うことが可能となり、複数台のリモコンを使い分けて複数のＡＶ機器の操作をすると云った煩雑さを解消することが可能となる。
【０００５】
従来、１台のＡＶ機器を介して複数台のＡＶ機器を操作するための技術としては、次のような形式のものがあった。すなわち、図６に示すように、先ず、リモコン１０２のメニューボタンを押すことで、バス接続された複数のＡＶ機器１１１，１１２…の機種情報１５１や、操作パネルを模した画像１５２とがディスプレイ１００に表示される。その後、リモコン１０２のカーソルボタン（上ボタン、下ボタン、右ボタン、左ボタン）１０２ａを用いて表示された複数の機種情報の間でフォーカスＦを移動させ、所望の機種にフォーカスＦが移ったときに決定ボタンを押す。それにより、操作対象の機器（ターゲット機器と云う）が選択される。次いで、カーソルボタンを用いて操作パネル画像に示された複数の操作ボタン（停止ボタン、再生ボタン、一時停止ボタンなど）の間でフォーカスＦを移動させ、所望の操作ボタンにフォーカスＦが移ったときに決定ボタンを押す。それにより、操作対象の機器の操作が実現される。
【０００６】
また同様に、１台のＡＶ機器を介して複数台のＡＶ機器を操作を行う技術として、特許文献１や特許文献２に開示されるものもある。このうち、特許文献１の技術では、他の機器の操作を行うときに、リモコンの操作ボタンと他のＡＶ機器の操作ボタンとの対応表が画面に表示され、この対応表をたよりに操作ボタンを押すことで他の機器の操作を行うことが出来る。
【特許文献１】特開平０１−１４９５９４号公報
【特許文献２】特開平１１−３３９３８６号公報
【発明の開示】
【発明が解決しようとする課題】
【０００７】
近年、ＡＶ機器のユーザの中には、例えば、同時に多数のチャンネル録画を行うために、ＤＶＨＳなど同一機種のＡＶ機器を複数台所有する場合がある。また、テレビ放送のデジタル化に伴って、ＡＶ機器の多くにＩＥＥＥ１３９４のインターフェースが搭載されることが予想され、それにより一つの家庭でＩＥＥＥ１３９４のネットワークに接続されるＡＶ機器の数が増し、更に、同一機種のＡＶ機器が複数台ネットワーク接続されることが多くなると予想される。
【０００８】
しかしながら、このように同一機種のＡＶ機器を複数含んだ多数のＡＶ機器がネットワーク接続されている状態で、上記従来のＡＶ機器の操作方式を適用した場合には、操作対象のターゲット機器を選択する操作が煩雑になるという問題が生じる。例えば、ＤＶＨＳが３台接続されていてその中から２台目のＤＶＨＳを選択しようとしたときには、統一性なく並べられた多数の機器リストの中からカーソルキーを用いて対象の機器を見つけて選択しなければならなかったり、或いは、機器を選択するときに機種情報しか表示されない形式のものでは、同一機種のものが複数台あると、どの機器を示しているのか分からなくなり対応することが出来ないと云った不都合も生じる。
【０００９】
この発明の目的は、同一機種の複数のＡＶ機器を含んだ多数のＡＶ機器がネットワーク接続されている場合でも、簡単な操作でターゲット機器を選択し、１台の機器を介して他のターゲット機器の操作を行うことのできるＡＶ装置を提供することにある。
【課題を解決するための手段】
【００１０】
本発明は、上記目的を達成するため、複数のＡＶ機器をシリアルバス接続可能なインターフェースを備え、ディスプレイに表示信号を出力可能なＡＶ装置において、前記インターフェースを介した通信により前記シリアルバス接続された複数のＡＶ機器の各々の機種情報および各ＡＶ機器固有の識別情報（例えば、機器のメーカ名や型名称など）とを取得する情報取得手段と、前記インターフェースを介した通信により前記シリアルバス接続された複数のＡＶ機器に各ＡＶ機器の動作を制御するコマンドをそれぞれ送信可能なコマンド発行手段と、装置に対する操作を入力する操作入力手段と、前記操作入力手段からの信号を受けて各部の制御を行う制御手段とを備え、前記操作入力手段には、機種選択用の操作部と機器選択用の操作部とが設けられ、前記制御手段は、前記機種選択用の操作部が操作される毎に、前記シリアルバス接続された複数のＡＶ機器の中から異なる機種の機器を循環的に操作対象として選択変更し、且つ、前記機器選択用の操作部が操作される毎に、前記シリアルバス接続された複数のＡＶ機器の中で現在操作対象として選択されている機種と同一機種のＡＶ機器の中から１つを循環的に操作対象として選択変更するとともに、操作対象としてＡＶ機器が選択変更された際に、操作対象として選択されたＡＶ機器の機種情報および固有の識別情報と、選択変更されたＡＶ機器により受け付けられる動作制御用のコマンドの内容が示されたコマンド一覧表示とをディスプレイ表示させるように構成されていることを特徴としている。
【００１１】
このような手段によれば、操作対象となるターゲット機器を選択するときに、全てのＡＶ機器を一度にリスト表示させる形式ではなく、選択操作ごとに機種情報や機器情報を循環的に表示変更する形式なので、接続されるＡＶ機器の数が多くなっても十分対応することが出来る。すなわち、対応可能なＡＶ機器の個数に上限が生じない。
【００１２】
また、機種の選択と機器の選択とを段階的に行ってターゲット機器を選択する構成なので、同一機種が１台しかない機器を選択する場合には、機種選択用の操作を何回かして対象の機器を選択することが出来るし、同一機種が複数台ある機器を選択する場合には、先ず、機種を選択した後、機器の選択操作を何回かすることで対象の機器を選択することが出来る。すなわち、同一機種のＡＶ機器を複数含んだ多数のＡＶ機器がネットワーク接続されている場合でも、操作対象のターゲット機器を簡単な操作で見つけ出して選択することが出来る。
【００１３】
ここで、具体的には、上記複数のＡＶ機器をシリアルバス接続させるインターフェースとしてはＩＥＥＥ１３９４に準ずるインターフェースを適用すると良い。それにより、ＩＥＥＥ１３９４規格のコマンド送信により、機器の情報取得や動作制御のコマンド発行を行うことが出来る。
【００１４】
また望ましくは、前記操作入力手段は電波又は赤外線により操作用の信号を出力するリモートコントローラであり、前記機種選択用の操作部および前記機器選択用の操作部は各々専用の操作ボタンとして設けると良い。
【００１５】
このように、専用の操作ボタンとすることで、予備的な操作なく、すぐに機器の選択操作を実行できるので、より機器の選択および操作が簡単なものとなる。なお、操作部の形態はボタン形式のほか、ダイヤル形式のものや、レバー形式のものを適用することも出来る。
【００１６】
また望ましくは、前記機種情報および前記識別情報のディスプレイ表示は、前記機種情報を絵文字により表した形態で表示し、且つ、前記機種情報と前記識別情報とをディスプレイ画面の一部（例えば右上）に表示出力する形態にすると良い。さらに、コマンド一覧表示はディスプレイ画面の他の一部（例えば右下）に表示出力する形態にすると良い。
【００１７】
このような表示態様とすることで、例えば、ディスプレイで映像の視聴をしながら他の機器を操作する場合に、上記の表示が映像の邪魔になることなく、さらに、直感的で且つ確実容易に対象の機器を選択して操作を行うことが出来る。
【００１８】
また望ましくは、前記操作入力手段には、前記シリアルバス接続された複数のＡＶ機器を操作するための複数の機能ボタンが設けられ、前記コマンド一覧表示には、当該動作制御用のコマンドと前記複数の機能ボタンとの対応関係が示され、前記制御手段は、少なくとも前記コマンド一覧表示を行っている間に前記複数の機能ボタンが操作された場合に、該機能ボタンに対応づけられた前記動作制御用のコマンドを、前記コマンド発行手段により操作対象として選択されているＡＶ機器に送信させるように構成すると良い。
【００１９】
このような手段により、対象のＡＶ機器を操作するのに、動作制御用のコマンド一覧表示を見て、ワン操作でその機器の操作を行うことができ、カーソルキーで動作内容を選択し、その後、決定キーで選択した内容を実行すると云った従来の操作方法に較べて、操作性が著しく良好になる。
【発明の効果】
【００２０】
以上説明したように、本発明に従うと、同一機種のＡＶ機器を複数含んだ多数のＡＶ機器がネットワーク接続されている場合でも、操作対象とするＡＶ機器を簡単な操作で選択し、且つ、この選択したＡＶ機器を簡単な操作で動作制御することが出来るという効果がある。
【発明を実施するための最良の形態】
【００２１】
以下、本発明の実施の形態を図面に基づいて説明する。
【００２２】
図１は、本発明の実施の形態のＡＶ装置としてのデジタルテレビ１ならびにＡＶシステムの概要を示す図である。
【００２３】
この実施の形態のデジタルテレビ１は、複数のＡＶ機器とシリアルバス接続可能な例えばＩＥＥＥ１３９４のデジタルインターフェースを備えており、該インターフェースを介して複数のＡＶ機器５１，５２…と相互接続可能になっている。そして、上記のデジタルインターフェースを介してデジタルの映像データや音響データを入力し、これらに基づく映像出力と音声出力とを行うことが可能になっている。
【００２４】
また、このデジタルテレビ１には、操作入力手段としてリモートコントローラ（以下、リモコンと呼ぶ）２が付属され、このリモコン２を介した操作入力により、デジタルテレビ１に接続されている他のＡＶ機器の操作を行うことが可能になっている。
【００２５】
図２は、本実施の形態のデジタルテレビ１の内部構成を示すブロック図である。
【００２６】
本実施の形態のデジタルテレビ１は、図２に示すように、装置の全体的な制御を行う制御手段としてのコントローラ１１と、映像データや音声データの処理を行ってディスプレイに表示信号を出力するビデオ処理部１２と、例えばプラズマディスプレイなど映像出力を行う表示部１３と、ＩＥＥＥ１３９４規格の信号処理およびデータ処理を行うインターフェース部１４と、ユーザからの操作入力を受け付ける操作入力部１５等を備えている。
【００２７】
上記のビデオ処理モジュール１２には、映像表示上に文字等の挿入を行うＯＳＤ（オンスクリーンディスプレイ）処理部１２ａが設けられており、また、上記の操作入力部１５にはリモコン２からの信号を入力する受光部１５ａが設けられている。
【００２８】
上記のデジタルテレビ１においては、ＩＥＥＥ１３９４規格に準じたインターフェース部１４とコントローラ１１によるデータ処理により、接続された他のＡＶ機器５１，５２…との間で、ＩＥＥＥ１３９４規格の上位プロトコル（AVCプロトコルやIEC61883）による通信が可能になっており、この上位プロトコルの通信により他のＡＶ機器５１，５２…にコマンドを送信してこれらのＡＶ機器５１，５２…から各種の情報を取得したり、これらのＡＶ機器５１，５２…の動作制御を行うことが可能になっている。すなわち、これらインターフェース部１４とコントローラ１１により、情報取得手段およびコマンド発行手段が構成されている。
【００２９】
図３は、デジタルテレビ１に付属されるリモコン２を示す図である。
【００３０】
上記のデジタルテレビ１に付属されるリモコン２には、片側半分の範囲に設けられた複数の自機用制御ボタン２１と、もう一方の片側半分の範囲に設けられた複数のターゲット用制御ボタン２５とを有しており、これらはリモコン２の上面において２つに区分された配置にされ、この区分配置により制御ボタンが２セットあることがユーザに認識され易いようになっている。
【００３１】
自機用制御ボタン２１は、デジタルテレビ１自体の操作を行うための操作ボタンであり、特に制限されるものではないが、デジタルテレビ１の電源をオン・オフさせるパワーボタンや、機能選択のためのセレクトボタン、並びに、テレビチャンネルを入力するチャンネルボタンなどが備わっている。
【００３２】
ターゲット用制御ボタン２５は、デジタルテレビ１にシリアルバス接続されている他のＡＶ機器５１，５２…を操作するためのボタン（操作部）であり、接続されているＡＶ機器５１，５２…のうち操作対象とされるＡＶ機器（ターゲット機器と呼ぶ）の電源を操作するターゲット用電源ボタン２６と、接続されているＡＶ機器の中からターゲット機器を選択するために専用に用いられる機種選択ボタン２７および機器選択ボタン２８と、操作対象のＡＶ機器の動作制御を行う複数のファンクションボタン２９とから構成される。複数のファンクションボタン２９には、ＡＶ機器の動作制御の内容とは無関係の記号（例えば「Ｆ１」〜「Ｆ８」など）が、ファンクションボタン２９の近傍に対応づけられて付記されている。なお、ボタン上にこれらの記号を付記しても良い。
【００３３】
次に、上記構成のデジタルテレビ１が接続されたＡＶシステムにおいて各ＡＶ機器を操作するときの処理の流れについて説明する。
【００３４】
図４には、このＡＶシステムの全体のブロック図を、図５には、ＡＶシステムに接続された各ＡＶ機器を操作するときの流れ図を示す。
【００３５】
この説明において、ＡＶシステムには、図４に示すように、本実施の形態のデジタルテレビ１、複数台のＤＶＤ（デジタル多用途ディスク）レコーダ５１，５２、ＤＶＨＳ５３、ハードディスクレコーダ５４、並びに、デジタルテレビチューナ５５が、それぞれＩＥＥＥ１３９４のインターフェースを介してシリアルバス接続されているものとする。もっとも、更に様々な種類、多数のＡＶ機器をシステムに接続することも可能である。
【００３６】
このようなＡＶシステムにおいて、デジタルテレビ１を介して他のＡＶ機器の操作を行うには、例えばデジタルテレビ１のリモコン２を用いて次のような操作入力を行うことで実行することが出来る。
【００３７】
先ず、図５（ａ）に示すように、デジタルテレビ１の電源がＯＮの状態（例えば、デジタルテレビ１自体の機能として通常のテレビ映像の出力を行っている状態）で、自機用制御ボタン２１のセレクトボタンを押してＩＥＥＥ１３９４のインターフェースを介した映像入力モードに切り替える。
【００３８】
すると、図５（ｂ）に示すように、画面の左上端に入力モードが変わったことを示す表示（例えば「ｉ．ＬＩＮＫ（登録商標）入力」）４１がなされる。また、接続されたＡＶ機器のうち１台のＡＶ機器が操作対象として選択された状態になり、画面の右上端に、現在操作対象として選択されているＡＶ機器（ターゲット機器）の機種をアイコン（絵文字）で表した機種情報表示４２と、この機器の名称を含む機器情報（識別情報）の表示４３とが行われる。また、画面の右下端に、このターゲット機器の操作内容とリモコン２のファンクションボタン２９の対応関係を表した一覧表示（コマンド一覧表示）４４とが行われる。
【００３９】
ここで、アイコンにより表された機種情報表示４２とは、例えばＤＶＤレコーダならディスクの絵文字、ＤＶＨＳならビデオカセットの絵文字など、その機種を直感的に理解できるものが用いられる。また、機器情報表示４３の内容には、メーカー名や機器の型名称のほか、例えばDVD1やDVD2など、デジタルテレビ１が自動的に割り振って付けた名称も含まれる。また、この機器情報表示４３の中にユーザが任意に登録できる名称が含まれるようにしても良い。
【００４０】
ここで、ユーザが、このＡＶ機器の操作を行いたいのであれば、この状態でリモコン２のファンクションボタン２９の何れかを押すことで、このボタンに対応づけられた動作内容のコマンドがデジタルテレビ１からターゲット機器に送信されて、このターゲット機器においてその動作が実行される。
【００４１】
また、一覧表示４４が表示された状態で一定時間（例えば１５秒）なにも操作が行われないと、一覧表示４４は自動的に消えるようになっている。再び、操作を行いたいときは、リモコン２のファンクションボタン２９の何れかを押すことで、再び一覧表示４４が表示されてターゲット機器の操作が可能となる。
【００４２】
ユーザが、はじめに選択されていたターゲット機器以外のＡＶ機器の操作を行いたい場合には、リモコン２の機種選択ボタン２７と機器選択ボタン２８を用いて操作対象のＡＶ機器の選択を行う。
【００４３】
例えば、現在選択されているＤＶＤレコーダ５１と同一機種で他の機器（ＤＶＤレコーダ５２）に選択変更したい場合には、機器選択ボタン２８を押す。すると、図５（ｃ）に示すように、同一機種の中で他のＡＶ機器（ＤＶＤレコーダ５２）に操作対象が移行され、機器情報４３と一覧表示４４とがこのＤＶＤレコーダ５２に対応したものに入れ替えられる。なお、図５（ｂ），（ｃ）においては、２台のＤＶＤレコーダ５２，５３の一覧表示４４の内容が共に同一であるため、一覧表示４４は変更されていないようにみえるが、異なる内容であれば一覧表示４４は変更される。
【００４４】
同様に、この機器選択ボタン２８を繰り返し押すことで、同一機種内の複数のＡＶ機器が循環的に選択され、機器情報４３と一覧表示４４とが選択された機器に対応するものに切り替えられていく。同一機種の機器が１台しか接続されていない場合には、機器選択ボタン２８を押しても機器の選択には影響しない。
【００４５】
一方、操作対象として現在選択されている機種と異なる機種を選択したい場合には、機種選択ボタン２７を押して機種の変更を行う。すると、図５（ｄ）に示すように、現在選択されているＡＶ機器（例えばＤＶＤレコーダ５３）とは異なる機種に移行され、この機種の中で１台の機器（例えばＤＶＨＳ５３）が操作対象の機器として選択される。そして、この機器に対応したアイコン表示４２と機器情報表示４３と一覧表示４４とが行われる。
【００４６】
同様に、機種選択ボタン２７を繰り返し押すことで、選択される機種が循環的に切り替えられていく。そして、アイコン表示４２、機器情報表示４３、一覧表示４４とが、この機種の切り替えによって選択された機器に対応するものに切り替えられていく。
【００４７】
このように、機種選択ボタン２７による機種の選択と、機器選択ボタン２８による機器の選択とにより、操作したいＡＶ機器を簡単に選択することが出来る。
【００４８】
次に、図５（ａ）〜（ｄ）のような機器選択を行っているときのデジタルテレビ１内における処理について詳述する。
【００４９】
図５（ａ），（ｂ）において映像入力モードが切り替えられた際の処理は次の如くである。すなわち、映像入力モードが切り替えられてデジタルリンク入力に切り替えられると、先ず、コントローラ１１は、シリアルバス接続されている全てのＡＶ機器５１の中で一番若いＧＵＩＤ（グローバルユニークＩＤ）を有する機器を調べ、その機器を操作対象のターゲット機器として設定する。ここで、ＧＵＩＤとは、生産時に機器１台ごとに付与された機器固有のＩＤであり、ＩＥＥＥ１３９４のシリアルバスに機器が接続した際に、各機器に認識される情報である。
【００５０】
次いで、コントローラ１１は、このターゲット機器の機種情報と機器名称等を含んだ機器情報とをＧＵＩＤに基づきメモリから呼び出す。機種情報と機器情報とは、予め、ＡＶ機器がシリアルバスに接続された際に、該シリアルバスを介した通信により各ＡＶ機器から取得され、ＧＵＩＤと対応づけられて、例えば、コントローラ１１内の記憶領域に格納されている。
【００５１】
詳細には、上記の機種情報は、例えばＡＶＣ規格のユニットコマンドのUnit Infoコマンド等を送信することで該当のＡＶ機器から取得することが出来るし、メーカ名や機器の型名称などの機器情報は、ＩＥＥＥ１３９４の通信で該当機器のコンフィグロムの内容を参照することで取得することが出来る。また、機器情報として、同一機種に通し番号を付した名称（例えばDVD1、DVD2、DVDH1など）をデジタルテレビ１内で自動生成し、これを機器情報に付加しておいてもよいし、ユーザが任意に名称を登録可能に構成し、この名称データを機器情報に付加して同様に格納しておいても良い。
【００５２】
続いて、ＩＥＥＥ１３９４のシリアルバスを介した通信により、操作対象として選択したターゲット機器から、ＡＶＣ規格のコマンドを用いて当該ターゲット機器の操作可能な動作内容の情報（例えば、再生、停止、進める、戻す、一時停止、録画、プレイリスト表示など）を取得する。なお、これらの情報も、ＡＶ機器がシステムに接続された際に予め取得しておき、例えば、コントローラ１１内の記憶領域に格納しておくようにしても良い。
【００５３】
情報を取得したら、これらの動作内容の情報と、リモコン２のファンクションボタン（Ｆ１〜Ｆ８）２９との対応付けを行って、一覧表示の情報を生成する。このファンクションボタン２９と操作内容との対応付けには、次のように様々な方法を適用することが出来る。例えば、予め各ファンクションボタンにＦ１は再生、Ｆ２は停止などと対応する操作内容を割り当てておき、この割り当てに従って、該当のターゲット機器の操作内容を対応づけるようにすることが出来る。この場合、対応する操作内容がない場合には、そのファンクションボタンの情報は一覧表示の中から削除されるようにすれば良い。また、過去の操作内容の頻度を計数および記憶しておき、使用頻度の高いもの順に上位のファンクションボタンに対応づけたり、或いは逆に使用頻度の低いもの順に上位のファンクションボタンに対応づけるなど、ＡＶ機器が選択されるたびに対応関係が変更可能なようにしても良い。
【００５４】
そして、これらの情報の取得および生成が完了したら、これらの情報をコントローラ１１がＯＳＤ処理部１２ａに送って、図５（ｂ）のような表示出力を行わせる。
【００５５】
また、操作対象のターゲット機器が選択されたときには、上記の処理と合わせて、ターゲット機器との間で、ターゲット機器からデジタルテレビ１に映像データをストリーミング配信させるための仮想的なプラグ接続処理（例えばIEC61883プロトコルのポイント・ポイントコネクション処理）を行う。プラグの接続先は、例えば、映像データの種類（圧縮形態など）により異なるため、ＡＶＣ規格の所定コマンド（例えば、ユニットコマンドのInput Plug Signal FormatコマンドやConnectコマンド）を用いて接続できるプラグを調べてから行う。接続できるプラグがない場合には、ターゲット機器の選択時に、このターゲット機器からコンテンツを受信できないことを示す表示を行うようにしても良い。或いは、操作対象のターゲット機器を選択するときに、接続できるプラグの有無を調べて、接続できるプラグが無い場合には、このターゲット機器を選択対象から除外して次の機器に選択対象を自動的に移すようにしても良い。
【００５６】
次に、図５（ｂ），（ｃ）においてリモコン２の機器選択ボタン２８が押された際のデジタルテレビ１の処理は次の如くである。すなわち、先ず、メモリに格納されている現在システムに接続されている全てのＡＶ機器の機種情報に基づき、現在選択されているターゲット機器と同じ機種で、且つ、現在選択されているターゲット機器の次に若いＧＵＩＤを有するＡＶ機器を調べ、そのＡＶ機器を新たな操作対象となるターゲット機器として設定する。なお、次に若いＧＵＩＤの機器がない場合には、ターゲット機器の変更を行わない。
【００５７】
そして、ターゲット機器が設定されたら、上記の処理と同様に、このターゲット機器の機種情報と機器名称等を含んだ機器情報とをメモリから呼び出し、続いて、操作対象として選択したターゲット機器から、ＡＶＣ規格のコマンドを用いて当該ターゲット機器の操作可能な動作内容の情報を取得し、これらの動作内容の情報と、リモコン２のファンクションボタン（Ｆ１〜Ｆ８）２９との対応付けを行って、一覧表示の情報を生成する。そして、これらの情報をコントローラ１１がＯＳＤ処理部１２ａに送って、図５（ｃ）のような表示出力を行わせる。
【００５８】
また、これらの処理と合わせて、ターゲット機器との間で、映像データをストリーミング配信させるための仮想的なプラグ接続処理（例えばIEC61883プロトコルのポイント・ポイントコネクション処理）を行って、映像データの送受信が可能なようにしておく。
【００５９】
次に、図５（ｃ），（ｄ）においてリモコン２の機種選択ボタン２７が押された際のデジタルテレビ１の処理は次の如くである。すなわち、先ず、メモリに格納されている現在システムに接続されている全てのＡＶ機器の機種情報に基づき、現在選択されているターゲット機器と異なる機種で、且つ、その中で一番若いＧＵＩＤを有するＡＶ機器を調べ、そのＡＶ機器を新たな操作対象となるターゲット機器として設定する。機種の変更順序は、システムに接続されているＡＶ機器の全ての機種が循環的に選択されるように、予めコントローラ１１内で順番を決定しておく。
【００６０】
そして、ターゲット機器が設定されたら、上記の処理と同様に、このターゲット機器の機種情報と機器名称等を含んだ機器情報とをメモリから呼び出し、続いて、操作対象として選択したターゲット機器から、ＡＶＣ規格のコマンドを用いて当該ターゲット機器の操作可能な動作内容の情報を取得し、これらの動作内容の情報と、リモコン２のファンクションボタン（Ｆ１〜Ｆ８）２９との対応付けを行って、一覧表示の情報を生成する。そして、これらの情報をコントローラ１１がＯＳＤ処理部１２ａに送って、図５（ｃ）のような表示出力を行わせる。
【００６１】
また、これらの処理と合わせて、ターゲット機器との間で、映像データをストリーミング配信させるための仮想的なプラグ接続処理（例えばIEC61883プロトコルのポイント・ポイントコネクション処理）を行っておく。
【００６２】
また、上述のようにターゲット機器が選択されている状態で、リモコン２のターゲット用の電源ボタン２６が押されたときには、ＩＥＥＥ１３９４のシリアルバスを介した通信によりデジタルテレビ１とターゲット機器との間で所定のコマンドや応答データの送受信が行われて、ターゲット機器の電源のオンオフ操作が実行される。
【００６３】
詳細には、先ず、デジタルテレビ１からターゲット機器にＡＶＣ規格の共通コマンドであるPowerコマンドのStatusコマンドが送信され、このコマンドによりターゲット機器からデジタルテレビ１に現在の電源状態（オン状態かオフ状態）の情報が返される。次に、デジタルテレビ１はこの応答データに基づきターゲット機器の現在の電源状態を切り替えるPowerコマンドを送信して、電源オンから電源オフまたは電源オフから電源オンに切り替える。
【００６４】
さらに、上記のようにターゲット機器が選択されている状態で、リモコン２のターゲット用のファンクションボタン２９が押されたときには、コントローラ１１において一覧表示の情報で対応づけられているファンクションボタン番号に応じた動作内容のコードが確認され、この動作内容コードをそれに応じたＡＶＣコマンドに変換してターゲット機器に発行させる。例えば、ターゲット機器がＤＶＨＳ５３でファンクションボタン２９の「Ｆ１ボタン」が押された場合には、ＤＨＶＳ５３のテープサブユニットのＡＶＣ規格のplayコマンドに変換し、ＤＶＨＳ５３にこのコマンドを送信することでＤＶＨＳ５３においてこの動作が実現される。
【００６５】
また、このとき、例えば、画面上の右上角（例えば機器情報４３の右横）に、ターゲット機器の動作状態を絵文字により表示させるようにしても良く、それによりユーザが操作機器の状態を直感的に把握できてより利便性を高めることが出来る。
【００６６】
以上のように、この実施の形態のデジタルテレビによれば、機種が同一の複数のＡＶ機器を含む多数のＡＶ機器がネットワーク接続されている場合でも、専用の機種選択ボタン２７と機器選択ボタン２８だけを用いて、操作対象とするＡＶ機器を簡単な操作で選択することが出来る。
【００６７】
また、操作対象となったＡＶ機器の機種情報や機器情報が、ターゲット機器の選択変更のたびに循環的にディスプレイ１３に表示されてユーザに示される形式なので、操作対象とされるＡＶ機器の数に上限が生じない。
【００６８】
また、対象のＡＶ機器を操作するのに、ファンクションボタン２９と動作内容の対応関係が示された一覧表示４４を見て、ワン操作でその機器の操作を行うことが出来るので、カーソルキーで操作種別を選択変更した後に決定キーで操作実行すると云うような従来の操作方法に較べて、操作性が著しく良好なものになる。
【００６９】
また、これらの機種情報表示４２や機器情報表示４３は画面の右上端に表示され、ファンクションボタンと機能の一覧表示４４は画面の右下端に表示される態様なので、例えば、ディスプレイで映像の視聴をしながら他の機器を操作する場合に、映像の邪魔になることない。また、機種情報は絵文字を使って表示するため、ユーザは直感的に現在使用している機種を認識することが出来るので大変に便利である。
【００７０】
なお、本発明は、この実施の形態に示されたものに限られず、様々な変更が可能である。例えば、上記実施の形態では、システムに接続された他の機器の操作を仲介する本発明のＡＶ機器をデジタルテレビに適用した例を示したが、例えば、チューナー装置やビデオサーバーなどに本発明のＡＶ機器を適用することも出来る。この場合、機種情報表示４２や機器情報表示４３などは、表示信号としてディスプレイに出力されて表示出力されるようにすれば良い。
【００７１】
また、上記実施の形態では、映像入力モードを変更してターゲット機器の選択を開始する際に、先ず、一番若いＧＵＩＤの機器が選択された状態にすると説明したが、前回選択されていた機器をメモリに記憶させてそれを参照することで、前回選択されていた機器がはじめに選択されるように構成することも出来る。
【００７２】
また、上記実施の形態では、リモコンの操作により、機器選択や機器制御を行う構成を示したが、テレビ本体にスイッチを設けて、そこで操作が可能なように構成することも出来る。
【００７３】
その他、ＡＶシステムに接続される複数のＡＶ機器の種類や、デジタルテレビ１の具体的な構成など、実施の形態で示した細部等は適宜変更可能である。
【図面の簡単な説明】
【００７４】
【図１】本発明の実施の形態のＡＶ装置としてのデジタルテレビとＡＶシステム全体の概要を示す図である。
【図２】図１のデジタルテレビの構成を示すブロック図である。
【図３】デジタルテレビのリモコンを示す図である。
【図４】図１のＡＶシステムの全体構成を示すブロック図である。
【図５】ＡＶシステムに接続された他のＡＶ機器を操作するときの流れを説明する図である。
【図６】従来のＡＶシステムにおいて他のＡＶ機器を操作する一例を説明する図である。
【符号の説明】
【００７５】
１    デジタルテレビ
２    リモコン
１１  コントローラ（制御手段）
１４  インターフェース部
１５  操作入力部
２５  ターゲット用制御ボタン
２６  ターゲット用電源ボタン
２７  機種選択ボタン
２８  機器選択ボタン
２９  ファンクションボタン（機能ボタン）
４２  機種情報表示
４３  機器情報表示
４４  一覧表示
【図１】
2005340968.tif 000003
【図２】
2005340968.tif 000004
【図３】
2005340968.tif 000005
【図４】
2005340968.tif 000006
【図５】
2005340968.tif 000007
【図６】
2005340968.tif 000008